Podtech/llm-jp-corpus-v4-ja_patent huggingface dataset:
(57)【要約】【課題】深夜電力利用の電気温水器にＣＯ２削減のメリットをもたらすことができる、太陽熱集熱器を用いたソーラーシステムを提供する。【解決手段】熱媒循環回路６に、太陽熱集熱器１に備えられた熱交換器３と、深夜電力利用電気温水器の貯湯タンク２内の低所に設けられた熱交換器４と、回路６内の熱媒を循環させるポンプ５とが介設され、ポンプ５で回路６内の熱媒を循環させることにより、電気温水器の貯湯タンク２内の低所の水を太陽熱で加温することができるようになされている。電気温水器に、貯湯タンク内の湯量を増す追焚き機能が備えられているとよい。【選択図】      図１
2006284069.tif 000002
【特許請求の範囲】
【請求項１】
熱媒循環回路に、太陽熱集熱器に備えられた熱交換器と、深夜電力利用電気温水器の貯湯タンク内の低所に設けられた熱交換器と、回路内の熱媒を循環させるポンプとが介設され、ポンプで回路内の熱媒を循環させることにより、電気温水器の貯湯タンク内の低所の水を太陽熱で加温することができるようになされていることを特徴とする、太陽熱集熱器を用いたソーラーシステム。
【請求項２】
前記電気温水器に、貯湯タンク内の湯量を増す追焚き機能が備えられている請求項１に記載のソーラーシステム。
【発明の詳細な説明】
【技術分野】
【０００１】
本発明は、太陽熱集熱器を用いたソーラーシステムに関する。
【背景技術】
【０００２】
太陽熱で給湯を行う太陽熱温水器は従来より提供されているし、深夜電力を利用したヒートポンプ式、ヒーター式等の電気温水器も従来より提供されている。
【発明の開示】
【発明が解決しようとする課題】
【０００３】
しかしながら、深夜電力を利用した電気温水器は、確かに、深夜電力の利用で電気代が安いというメリットがあるものの、使用する電気量は多く、ＣＯ２の削減に寄与するものとは言い難い。
【０００４】
特に、冬季においては、夜間のお湯の使用に備え、夕方に、電気温水器の貯湯タンク内の湯量を増す追焚きを行うことが多く、電気代等が高くついてしまうという問題もある。
【０００５】
本発明は、かかる問題点に鑑み、深夜電力利用の電気温水器にＣＯ２削減のメリットをもたらすことができる、太陽熱集熱器を用いたソーラーシステムを提供することを課題とする。
【課題を解決するための手段】
【０００６】
上記の課題は、熱媒循環回路に、太陽熱集熱器に備えられた熱交換器と、深夜電力利用電気温水器の貯湯タンク内の低所に設けられた熱交換器と、回路内の熱媒を循環させるポンプとが介設され、ポンプで回路内の熱媒を循環させることにより、電気温水器の貯湯タンク内の低所の水を太陽熱で加温することができるようになされていることを特徴とする、太陽熱集熱器を用いたソーラーシステムによって解決される。
【０００７】
このシステムでは、太陽の出ている日中、太陽熱集熱器で集められた太陽熱と同集熱器の熱交換器内の熱媒とが熱交換を行って熱媒が加温され、こうして熱媒に伝えられた熱と電気温水器の貯湯タンク内の低所の水とがポンプの駆動によりタンク内熱交換器において熱交換を行い、貯湯タンク内の低所の水が加温される。従って、電気温水器は、深夜電力の時間帯において、日中に太陽熱によって暖められた加温水を沸き上げればよく、そのため、少ない電気量で沸き上げることができ、ＣＯ２削減のメリットをもたらすことができる。
【０００８】
上記のシステムにおいて、電気温水器に、貯湯タンク内の湯量を増す追焚き機能が備えられている場合は、例えば、冬季において、夕方に、暖気温水器の貯湯タンク内の湯量を増す追焚きを行うような場合などにおいて、日中に太陽熱によって暖められた加温水を沸けばよく、電気代高価な時間帯における電気の使用量を削減したり、あるいは、その他の商用エネルギーの使用量を削減することができて、コスト的なメリットを得ることができる。
【発明の効果】
【０００９】
本発明は、以上のとおりのものであるから、深夜電力利用の電気温水器にＣＯ２削減のメリットをもたらすことができる。
【発明を実施するための最良の形態】
【００１０】
次に、本発明の実施最良形態を図面に基づいて説明する。
【００１１】
図１に示す実施形態のソーラーシステムにおいて、１は太陽熱集熱器、２は深夜電力利用の電気温水器であり、電気温水器の貯湯タンク２内の低所には熱媒導通用の熱交換器４が設けられ、該熱交換器４と、太陽熱集熱器１の熱媒導通用の熱交換器３と、ポンプ５とが熱媒循環回路６に介設され、ポンプ５を駆動することにより、熱媒が、各熱交換器３，４を経由して、回路６を循環するようになされている。図示する電気温水器において、７は給水管、８，９は熱源との間で循環回路を形成する配管、１０は温水供給管である。
【００１２】
なお、本実施形態では、熱媒として水が用いられているが、不凍液などのその他の液体、また、空気などの気体、相変化を行う冷媒などが用いられてもよい。
【００１３】
また、電気温水器は、深夜電力の時間帯において沸き上げを行い、追焚き機能は備えられていてもよいし備えられていなくてもよく、追焚き機能が備えられている場合には、追焚きは、電気で行われるものであってもよいし、灯油やガス等のその他の商用エネルギーによって行われるものであってもよい。
【００１４】
また、電気温水器は、日中、貯湯タンク２内の上側の湯層１１の下側に水層１２が形成されるようなものであればよく、その日の給湯使用量に応じて翌日の沸き上げ湯量を調整するなどの学習機能をもったものであるか、沸き上げ湯量を使用者の好みによって設定できるようになされたものであるかなどは問わないし、また、熱源として、ＣＯ２等のヒートポンプ式のものや、ヒータ式のものなどが用いられてよい。
【００１５】
上記のシステムでは、図２（イ）に示すように、太陽の出ている日中、太陽熱集熱器１で集められた太陽熱と、同集熱器１の熱交換器３内の水とが、熱交換を行って熱交換器３内の水が加温され、こうして熱媒である水に伝えられた熱と、電気温水器の貯湯タンク２内の低所の水層１２の水とが、ポンプ５の駆動により、タンク内熱交換器４において熱交換を行い、貯湯タンク２内の水層１２の水が加温される。
【００１６】
従って、電気温水器は、図２（ロ）に示すように、深夜電力の時間帯において、日中に太陽熱によって暖められたタンク内加温水１２ａを沸き上げればよく、そのため、少ない電気量で沸き上げることができ、ＣＯ２削減のメリットがもたらされる。なお、本実施形態では、ポンプ５は、太陽の出ている日中においてのみ駆動されるようになされている。
【００１７】
また、冬季において、晴れた日中に電気温水器の貯湯タンク２内の低所の水１２が太陽熱で加温されることで、夕方の追焚きを少なくすることができ、電気代が高価な時間帯における電気の使用量等を削減することが可能となる。
【図面の簡単な説明】
【００１８】
【図１】実施形態のソーラーシステムを示す回路図である。
【図２】図（イ）及び図（ロ）はそれぞれ、同システムの作動状態を示す回路図である。
【符号の説明】
【００１９】
１…太陽熱集熱器
２…深夜電力利用の電気温水器の貯湯タンク
３…熱交換器
４…熱交換器
５…ポンプ
６…熱媒循環回路
１１…湯層
１２…水層
１２ａ…太陽熱加温水
【図１】
2006284069.tif 000003
【図２】
2006284069.tif 000004
(57)【要約】【課題】必要な量のお湯を提供することができながら、貯湯タンクを小型化することができる貯湯装置を提供する。【解決手段】内部のお湯の熱を蓄熱する潜熱蓄熱材４が貯湯タンク３に設けられ、該貯湯タンク３が前記潜熱蓄熱材４を含んで断熱材５で覆われている。該貯湯装置は、太陽熱温水器用の貯湯装置や、深夜電力利用の電気温水器の貯湯装置として用いられる。【選択図】      図１
2006284070.tif 000002
【特許請求の範囲】
【請求項１】
内部のお湯の熱を蓄熱する潜熱蓄熱材が貯湯タンクに設けられ、該貯湯タンクが前記潜熱蓄熱材を含んで断熱材で覆われていることを特徴とする貯湯装置。
【請求項２】
太陽熱温水器用である請求項１に記載の貯湯装置。
【請求項３】
深夜電力利用の電気温水器用である請求項１に記載の貯湯装置。
【発明の詳細な説明】
【技術分野】
【０００１】
本発明は、貯湯装置に関する。
【背景技術】
【０００２】
例えば、深夜電力利用の電気温水器に用いられている貯湯タンクは、非常に大型で、狭小地に建てられた住宅や、マンションでは、その設置場所の確保が容易ではないという問題がある。また、電気温水器に限らず、太陽熱温水器の場合にも、貯湯タンクは大型で、その設置場所の確保が容易ではないという問題がある。
【発明の開示】
【発明が解決しようとする課題】
【０００３】
本発明は、上記のような問題点に鑑み、必要な量のお湯を提供することができながら、貯湯タンクを小型化することができる貯湯装置を提供することを課題とする。
【課題を解決するための手段】
【０００４】
上記の課題は、内部のお湯の熱を蓄熱する潜熱蓄熱材が貯湯タンクに設けられ、該貯湯タンクが前記潜熱蓄熱材を含んで断熱材で覆われていることを特徴とする貯湯装置によって解決される。
【０００５】
この貯湯装置では、潜熱蓄熱材に蓄熱されるので、その分、貯湯タンクの容量を小さくすることができ、必要な量のお湯を提供することができながら、貯湯装置を小型化することができる。
【０００６】
上記の貯湯装置が、太陽熱温水器用である場合は、貯湯装置の小型化により、電気温水器の貯湯装置の設置場所の確保を容易にすることができ、また、上記の貯湯装置が、深夜電力利用の電気温水器用である場合は、深夜電力を利用して安価に蓄熱することができるのみならず、貯湯装置の小型化により、電気温水器の設置場所の確保を容易にすることができる。
【０００７】
特に、深夜電力利用の電気温水器と、太陽熱温水器とが併設されるソーラーシステムにおいて、太陽熱集熱器用の貯湯装置として本発明における貯湯装置を用いることにより、太陽熱集熱器用の貯湯装置をコンパクトにすることができる。その場合において、深夜電力利用の電気温水器も本発明における貯湯装置で構成すれば、両貯湯装置をコンパクトにすることができる。
【発明の効果】
【０００８】
本発明は、以上のとおりのものであるから、必要な量のお湯を提供することができながら、貯湯タンクを小型化することができる。
【発明を実施するための最良の形態】
【０００９】
次に、本発明の実施最良形態を図面に基づいて説明する。
【００１０】
図１に示す実施形態の貯湯装置１は、深夜電力利用の電気温水器に用いられる貯湯装置であり、ケース２内に貯湯タンク３が備えられており、該ケース２内において、貯湯タンク３の外周側には、塩化カルシウム水和物等の無機水和塩や、パラフィン等の有機物化合物からなる潜熱蓄熱材４が周設され、該潜熱蓄熱材４に、貯湯タンク３内のお湯の熱が蓄熱されるようになされている。そして、ケース２内において、潜熱蓄熱材４の外側には、繊維系断熱材、発泡樹脂系断熱材などからなる断熱材５が、潜熱蓄熱材４を含んで貯湯タンク３の全体を包み込むように設けられている。
【００１１】
上記の貯湯装置１では、潜熱蓄熱材４に蓄熱されるので、その分、貯湯タンクの容量を小さくすることができ、必要な量のお湯を提供することができながら、貯湯装置１を小型化することができて、電気温水器の設置場所の確保を容易にすることができる。なお、電気温水器は、ＣＯ２等のヒートポンプ式のものや、ヒータ式のものなどであってよい。
【００１２】
以上に、本発明の実施形態を示したが、本発明はこれに限られるものではなく、発明思想を逸脱しない範囲で各種の変更が可能である。例えば、上記の実施形態では、潜熱蓄熱材４を貯湯タンク３の外周側に、周方向に連続するように設けた場合を示しているが、周方向や上下方向に間隔的に設けるようにしてもよいし、また、容器に入れた潜熱蓄熱材を貯湯タンク３の内部に設置するようにしてもよい。
【００１３】
また、上記の実施形態では、電気温水器用の貯湯装置に適用した場合を示しているが、太陽熱温水器の貯湯装置に適用することも可能である。
【図面の簡単な説明】
【００１４】
【図１】実施形態の貯湯装置を示すもので、図（イ）は正面図、図（ロ）は図（イ）のＩ−Ｉ線断面図である。
【符号の説明】
【００１５】
１…貯湯装置
２…ケース
３…貯湯タンク
４…潜熱蓄熱材
５…断熱材
【図１】
2006284070.tif 000003
(57)【要約】【課題】  本発明は、飼育水槽内の水質の悪化を引き起すことがなく、仔魚の正常な発育を阻害することなしに、仔魚を飼育し得る方法を提供することにある。【解決手段】  本発明の飼育水槽は、水表面積：縦断面積(但し、当該縦断面積は、前記飼育水槽の縦断面のうち最も面積が広い部分の縦断面積をいう。)＝０．５〜１：１を満足することを特徴とする。【選択図】  なし【特許請求の範囲】
【請求項１】
飼育水槽において、水表面積：縦断面積(但し、当該縦断面積は、前記飼育水槽の縦断面のうち最も面積が広い部分の縦断面積をいう。)＝０．５〜１：１を満足する飼育水槽。
【請求項２】
飼育水槽の形状が、円形であることを特徴とする請求項1記載の飼育水槽。
【請求項３】
請求項１又は２に記載の飼育水槽を用いて、仔魚を飼育する飼育方法。
【発明の詳細な説明】
【技術分野】
【０００１】
本発明は、飼育水槽、及び飼育方法に関し、特に、表面積と縦断面積とを規定した飼育水槽及び飼育方法に関する。
【背景技術】
【０００２】
ハタ類をはじめとする高級養殖魚の養殖は、これまで多くの機関が人口種苗生産に取り組んできている。高級養殖魚の種苗生産過程において、仔魚が表面張力によって水面に囚われ遊泳不可能な状態となって死亡するといういわゆる「浮上へい死」が、初期の大量減耗の大きな要因となっている。
【０００３】
この浮上へい死の防御策として、対処療法的に現在は、水面に油脂を散布することで油膜を形成させ、仔魚の水面への接触を防止する方法がとられている（土橋靖史, 栗山功, 黒宮香美, 柏木正章, 吉岡基. マハタ種苗生産過程における仔魚の活力とその生残に及ぼす水温。 照明およびフィードオイルの影響. 水産増殖 2003年; 51巻: 49-54頁。）
【０００４】
【非特許文献１】土橋靖史, 栗山功, 黒宮香美, 柏木正章, 吉岡基. マハタ種苗生産過程における仔魚の活力とその生残に及ぼす水温。 照明およびフィードオイルの影響. 水産増殖 2003年; 51巻: 49-54頁。
【発明の開示】
【発明が解決しようとする課題】
【０００５】
しかしながら、油脂を散布する方法では、飼育水槽内の水質の悪化を引き起す上、仔魚の正常な発育を阻害する可能性が高く、事実、例えば、ハタ類種苗生産では種苗の形態異常が大きな問題となっている。
【０００６】
このように、幼生の飼育において、物理的環境である飼育水槽内の流れの場を厳密に制御することは仔魚の生残率を高める上で重要である。特に、ふ化後数日間の初期飼育段階での生残率の低下が見られることがあり、飼育水槽内の流れの厳密な管理が必要であることがわかる。
【０００７】
そこで、本発明は、飼育水槽内の水質の悪化を引き起すことがなく、仔魚の正常な発育を阻害することなしに、仔魚を飼育し得る方法を提供することにある。
【課題を解決するための手段】
【０００８】
上記目的を達成するために、発明者らは、幼生の飼育環境に強く関連した飼育水槽内の表面積と縦断面積との関係を検討した結果、本発明の飼育水槽及び飼育方法を見出すに至った。
【０００９】
本発明の飼育水槽は、水表面積：縦断面積(但し、当該縦断面積は、前記飼育水槽の縦断面のうち最も面積が広い部分の縦断面積をいう。)＝０．５〜１：１を満足することを特徴とする。
【００１０】
本発明の飼育水槽の好ましい実施態様において、飼育水槽の形状が円形であることを特徴とする。
【００１１】
本発明の飼育方法は、上記本発明の飼育水槽を用いて、仔魚を飼育することを特徴とする。
【発明の効果】
【００１２】
本発明の飼育水槽によれば、これまで初期飼育が困難とされてきた仔魚(マハタも含め)において、従来法と比較して，はるかに安定かつ大量の種苗の初期飼育を可能とするという有利な効果を奏する。
【００１３】
また、本発明の飼育水槽によれば、油膜撒布の作業を要せず、かつ、油膜による水質悪化の要因を排除することが可能であるという有利な効果を奏する。
【００１４】
また、本発明の飼育水槽によれば、仔魚、幼生の初期減耗（卵のふ化から10日くらいまでに見られる高い死亡率）を軽減することが可能であるという有利な効果を奏する。
【発明を実施するための最良の形態】
【００１５】
本発明の飼育水槽は、水表面積：縦断面積＝０．５〜１：１（但し、当該縦断面積は、前記飼育水槽の縦断面のうち最も面積が広い部分の縦断面積をいう。）を満足する。このように本発明の飼育水槽においては、容積に対して水槽の表面積を小さくし、水深を深くとることにより、仔魚の水面への接触時間を短縮せしめることにより、浮上斃死の抑制を達成するものである。なお、本発明においては、水表面積：縦断面積の比の低減を０．５：１としているが、これは市販の水槽を用いて、水深を変えるだけで斃死を防止し得るという観点からであり、０．５以下であっても何ら問題はない。したがって、水表面積：縦断面積＝〜０．５：１とすることも可能である。
【００１６】
また、飼育水槽の形状は、上記表面積と縦断面積との関係を満足すれば、特に限定されないが、水槽中の流場を一定にし、かつ制御しやすくするという観点から、好ましくは、飼育水槽の形状が円形である。
【００１７】
次に、本発明の飼育方法について説明する。本発明の飼育方法は、上記本発明の飼育水槽を用いて、仔魚を飼育する。本発明の飼育水槽については、上記本発明の飼育水槽の説明をそのまま適用することができる。飼育方法自体は、本発明の飼育水槽を用いること以外は、常法の飼育方法を適用することができる。
【実施例】
【００１８】
以下、本発明を実施例により更に具体的に説明するが、本発明は、下記実施例に限定して解釈される意図ではない。
【００１９】
実施例１
本発明による飼育方法と、従来の油脂撒布した飼育方法によって20日間のマハタ仔魚飼育を実施した。
本発明による飼育水槽と、同一の水量の従来の水槽2種類（水表面積：縦断面積＝１：０．５、及び１：１）によるマハタ仔魚の１０日間の飼育実験を実施した。
なお、水表面積：縦断面積の比は、下記のようにして計算した。
円形の水槽の場合を例に説明すると、図の水深に相当する長さと，表面の直径をもとに計算することができる。具体的には、１）直径から水表面積（青のエリア）を求める。（円形でなければ，表面積をとにかく出せればよい。）２）直径と水深を使って，水槽の縦断面積を求める。３）水表面積：縦断面積の比を求める。
その結果、９日令時の生残率は、本発明による飼育方法では５３％（うち、総浮上斃死数４９）と好成績を示したのに対し（水表面積：縦断面積＝０．５：１）、従来の水槽ではそれぞれ２２％（うち、総浮上斃死数２０９）（水表面積：縦断面積＝１：１）、２７％（うち、総浮上斃死数３５０）（水表面積：縦断面積＝１：０．５）と、非常に低い値を示した。
結果を表１に示す。
【００２０】
【表１】
2006333731.tif 000002
なお、最も斃死が少ない場合の水表面積：縦断面積の比は、約０．５：１であった。一方，飼育成績の悪かった水槽では，水表面積：縦断面積は１：１〜２：１であった。したがって、「水槽の表面積と断面積の比が１より小さい水槽が斃死防止に良好であることが判明した。
【図面の簡単な説明】
【００２１】
【図１】水表面積と縦断面積との比の計算をする場合の模式図を示す。
【図１】
2006333731.tif 000003
(57)【要約】【課題】              従来の釣用ルアーロック使用時の釣用ルアーの取り付け、取り外しの時、１、まずカギ状の戻り止め部分のロックを外し、２、ルアーをセットし、３、またロックをする三行程が必要となり、しかも釣用ルアーから一度手を離す必要があった。そこで、この発明は、一連の動作で、一度も釣用ルアーから手を離す事も無く、確実に一行程で取り付け、取り外しが出来、また激しいルアーアクションでも外れる事の無く、ルアーロックの小型化に伴う操作性の悪さも解消する、釣用ルアーロックを提供する事を課題とする。【解決手段】          以上の課題を解決する為に、戻り止め部分を軸に沿う形で中間に設置して、釣用ルアーの取り付け、取り外しを一行程で完了出来る釣用ルアーロック。【選択図】            図１
2006333797.tif 000002
【特許請求の範囲】
【請求項１】
釣用ルアーロックの戻り止め部分を軸に沿う形で中間に設置して、取り付け取り外しを一行程で完了する事を特徴とする、釣用ルアーロック。
【請求項２】
前記ルアーロックと、釣用ルアーそれぞれから一度も手を離す事も無く一連の動作で取り付け、取り外しを完了出来る事を特徴とする請求項１記載の釣用ルアーロック。
【発明の詳細な説明】
【技術分野】
【０００１】
この発明は、釣用ルアーの取り付け、取り外しに用いる金具、ルアーロックの形状に関する。
【背景技術】
【０００２】
従来の釣用ルアーの取り付け、取り外しに用いるルアーロックの形状は、図２に示すように、釣用ルアーが外れないように、ルアーロック先端にカギ状の戻り止め部分が設けられた物である。
【発明の開示】
【発明が解決しようとする課題】
【０００３】
しかしながら、以上の技術によれば、ルアーの取り付け、取り外しの時、１、まずカギ状の戻り止め部分のロックを外し、２、ルアーをセットし、３、またロックをする三行程が必要となり、しかも釣用ルアーから一度手を離す必要があった。
【０００４】
そこで、この発明は、一連の動作で、一度も釣用ルアーから手を離す事も無く、素早く確実に一行程で、取り付け、取り外しが出来、また激しいルアーアクションでも外れる事も無く、対象魚の引きにも耐えられる十分な強度を保ち、ルアーロックの小型化に伴う操作性の悪さも解消する、釣用ルアーロックを提供する事を課題とする。
【課題を解決するための手段】
【０００５】
以上の課題を解決する為に、第一発明は、戻り止め部分を軸に沿う形で中間に設置して、釣用ルアーの、取り付け、取り外しを一行程で完了する事を特徴とする、釣用ルアーロック。
【０００６】
また、第二発明は、前記、ルアーロックと釣用ルアーそれぞれから一度も手を離す事も無く一連の動作で取り付け、取り外しを完了出来る事を特徴とする、釣用ルアーロック
【発明の効果】
【０００７】
第一発明、第二発明によれば、一連の動作で、一度も釣用ルアーから手を離す事も無く、素早く確実に一行程で、取り付け、取り外しが出来る。
【発明を実施するための最良の形態】
【０００８】
この発明の一実施形態を、図１に示す。ルアーロックの材料は、錆びにくく反発力のある、金属製のワイヤーである。
【０００９】
取り付けは、図１のＡにルアー先端のリングを入れ、右に回転、Ｂの戻り止め部分がワイヤーの反発力で軸に接触している為に、押し広げながらＣに移動して完了する。
【００１０】
取り外しは、Ｄの部分を矢印の向きに押し、Ｂの戻り止め部分を少し開きながら左回転させながら、取り外す。
【実施例１】
【００１１】
この実施形態によれば、一連の動作で、一度も釣用ルアーから手を離す事も無く、一行程で、素早く確実に取り付け、取り外しが出来る。構造が簡単で小型、軽量に製作出来る為、軽量ルアーのアクションに影響を与えにくい。通常ルアーロックが小さくなれば、その取り扱いが困難になるが、このルアーロックは、図１のＡに釣用ルアーの先端が入れば手探りでも簡単に釣用ルアーを取り付け出来る、取り外す時も同様である。
【図面の簡単な説明】
【００１２】
【図１】この発明の一実施形態図である。
【図２】従来技術を示す図である。
【符号の説明】
【００１３】
Ａ  釣用ルアー導入部
Ｂ  戻り止め
Ｃ  釣用ルアー使用時のセット位置
Ｄ  戻り止め、スプリング部分
【図１】
2006333797.tif 000003
【図２】
2006333797.tif 000004
(57)【要約】      （修正有）【課題】  照明器具の中や窓ガラスの明るい場所に蝿、蚊、蛾などが集り、また台所ではゴキブリ等の不快害虫が人に不快感を与えている。これらを退治するには殺虫スプレー、殺虫液を散布することで駆除していたが、人体、小動物に影響を与えることを解決すること。【解決手段】  窓ガラスの明るい場所や照明器具の中に集まる習性を利用した場所、またゴキブリ等に関しては通り道に設置し吸い込んで捕獲する。人体、小動物に影響を与える殺虫スプレーや殺虫液を散布しなくても不快感を与えることなくこの問題を解決する。【選択図】    図１
2006333852.tif 000002
【特許請求の範囲】
【請求項１】
空気とともに害虫を吸引する装置である。吸い込み口付近に来た害虫を害虫センサーがキャッチすると、電動モーター用のスイッチが入りファンが回転して害虫が吸い込まれることを特徴とする害虫吸い込み装置。
【請求項２】
害虫センサーがキャッチしてスイッチが入り電動モーターの駆動時間を５〜１０秒ぐらいにすることを特徴とする害虫吸い込み装置。
【請求項３】
ファンが回転することで吸い込み口から害虫が吸引されて捕獲ポケットに入る。捕獲ポケットは入り口に弁を付けたことを特徴とする害虫吸い込み装置。
【請求項４】
吸引力を下げないために捕獲ポケットの表面を小さな虫が通らないほどの網目状にしたことを特徴とする害虫吸い込み装置。
【請求項５】
電動モーターと捕獲ポケット間の壁と排出用の外壁にフィルターを嵌めてホコリなど入らないことを特徴とする害虫吸い込み装置。
【請求項６】
捕獲ポケットは簡単に取り付け取り外しができて使い捨てとすることを特徴とする害虫吸い込み装置。
【請求項７】
出し入れカバーと本体のすき間にパッキンを嵌めて密閉することを特徴とする害虫吸い込み装置。
【請求項８】
害虫吸い込み装置本体の底部分へ吸盤を附けて固定することを特徴とする害虫吸い込み装置。
【発明の詳細な説明】
【技術分野】
【０００１】  本発明は、蝿、蚊、蛾、ゴキブリ等など集まりやすい場所に設置して駆除し得る害虫駆除装置の改良に関するものである。
【背景技術】
【０００２】  一般に、室内での害虫に対して、殺虫スプレー、殺虫液を散布などで害虫を駆除していた。
【発明の開示】
【発明が解決しようとする課題】
【０００３】  従来は、蝿、蚊、蛾などが照明器具の中を飛び回ったり、窓ガラスのような明るい場所に集まっているとき、また台所のような場所ではゴキブリ等の不快害虫が人に不快感を与えてしまう。これらを退治するには殺虫スプレー、殺虫液を散布することで駆除していたが、人体、小動物に影響を与える場合があった。これらを解決することを課題とする。
【問題を解決するための手段】
【０００４】  この問題を解決するための請求項１の発明は、吸い込み口付近に害虫が近づくと害虫センサーがキャッチして電動モーターとファンを回転させて、害虫を吸引する。
【０００５】  請求項２の発明は、害虫センサのキャッチ一回に対して電動モーターの駆動時間を５〜１０秒程度にすることで、害虫を吸い込み口付近から捕獲ポケットの中まで吸入するための時間である。
【０００６】  請求項３の発明は、捕獲ポケットの入り口に弁を附ける。弁は締まっているがファンの吸引力で開き、害虫が中に吸い込まれてからファンが止まり弁も閉まる。害虫は外に出られなくなる。
【０００７】    請求項４の発明は、捕獲ポケットの材質は掃除機に使用されている紙パックでは、抵抗が大きいため吸引力を下げてしまう。そこで、表面を小さな虫が通らない程度の網目状にしたことで抵抗も少なく吸引力も強くした。
【０００８】  請求項５の発明は、吸い込み口から害虫以外にホコリなどを吸い込んでしまう。そのため、電動モーターやファンにホコリが付着して故障の原因や能力の低下につながるので、捕獲ポケットとファン間の壁に吸入フィルターを嵌めてホコリからガードする。
【０００９】  請求項６の発明は、捕獲ポケットに吸い込まれた害虫は生きており、害虫だけ取り出すことは難しく逃げられてしまう恐れがあるので、簡単に取り付け取り外しができるようにして、捕獲ポケットごとゴミとして捨てるようにした。
【００１０】  請求項７の発明は、出し入れカバーは捕獲ポケットを入換するための物で、これを閉めたときに空気が漏れると吸引力が落ちるので、本体と出し入れカバーのすき間にパッキンを嵌めて密閉型にした。
【００１１】  請求項８の発明は、窓ガラスや照明器具内の水平でない場所があるため吸盤による吸引力やマジックテープなどで固定する。
【発明の効果】
【００１２】  本発明は、いつ来るかわからない害虫にたいして窓ガラスや照明器具のような明るい場所に集まる習性を利用する。またゴキブリ等の通り道に設置して吸い込んで捕獲する。人体、小動物に影響を与える殺虫スプレーや殺虫液を散布は使用しなくても不快感を与えることなく蝿、蛾、蚊、ゴキブリ等を捕獲できる。
【発明を実施するための最良の形態】
【００１３】  害虫吸い込み装置の設置場所は何ら制限を受けないが、好ましくは、室内、台所、そこに生息する害虫、室内においては蝿、蚊、蛾など、台所においてはゴキブリ等が対象となる。図１では、吸い込み口４付近に害虫が近づくと、害虫センサー５が感知して電動モーター２と連結されたファン３が回転する。回転することによって吸い込み口４より吸い込まれ、本体入り口１８を通り弁９はファンの吸引力で開き捕獲ポケット８の中まで空気と害虫が吸い込まれて捕獲する。空気は捕獲ポケット８を通り抜けて、吸入フィルター６を通り排出フィルター７を抜けて外にだす。【００１４】  本体の形状としては、直方体に限らず、円筒状や立方体でもよい。電源については電池、バッテリーなどあるが、主に家庭用電源１００Ｖ、若しくは２００Ｖが望ましい。ファンの形状としては、プロペラ状に限らず、スクリュー状などがある。またコンパクトなことから照明器具のような電気製品の中に本体組み込み型にもできて便利である。害虫センサーがキャッチしていないとき電動モーターは止まっているため寿命は長く、電気代も安なる。吸い込み口に害虫の好む臭いや光りで寄せると効果がある。レストランのような大型店舗では大型の害虫吸い込み装置を設置したり、家庭用ではコンパクトなものまで幅広く便利性にもすぐれている。
【産業上の利用可能性】
【００１５】  本発明に係る害虫吸い込み装置は、工業的に量産する事が可能であるため、産業上の利用可能性を有する。
【図面の簡単な説明】
【００１６】
【図１】  本発明害虫吸い込み装置の平面断面図
【図２】  図１のＡ−Ａ断面図
【図３】  図１の本体正面図
【符号の説明】
【００１７】  １  害虫吸い込み装置本体
２  電動モーター
３  プロペラ
４  吸い込み口
５  害虫センサー
６  吸入フィルター
７  排出フィルター
８  捕獲ポケット
９  弁
１０  捕獲ポケットを本体に嵌める部材
１１  本体と出し入れカバーを密閉にするパッキン
１２  捕獲ポケットを本体に嵌める部材１０を固定する個所
１３  出し入れカバー開閉レバーを掛ける部材
１４  出し入れカバー
１５  出し入れカバー開閉レバー
１６  電動モーター固定台
１７  吸盤
１８  本体入り口
【図１】
2006333852.tif 000003
【図２】
2006333852.tif 000004
【図３】
2006333852.tif 000005
(57)【要約】【課題】  餅米にうるち米を混合した、混合餅を提供する。【解決手段】  餅米８と、うるち米２の割合で混ぜた米を清水で洗い研ぎ、にごり水の出なくなるまで洗い研ぎ、洗い研がれた米は、一晩水に浸したあと、せいろで蒸して、臼と杵で搗いて餅にし、本来の餅米に２割のうるち米を混合して粘（ねばり）を少なくしたことを特徴とする、餅米とうるち米を混合して搗いた混合餅。【選択図】  図４
2006333854.tif 000002
【特許請求の範囲】
【請求項１】
餅米８と、うるち米２の割合で混ぜた米を清水で洗い研ぎ、にごり水の出なくなるまで洗い研ぎ、洗い研がれた米は、一晩水に浸したあと、せいろで蒸して臼と杵で搗いて餅にし、本来の餅米に２割のうるち米を混合して粘（ねばり）を少なくしたことを特徴とする、餅米とうるち米を混合して搗いた混合餅。
【発明の詳細な説明】
【技術分野】
【０００１】  本発明は、餅米に、うるち米を混合した混合餅に関するものである。
【背景技術】
【０００２】  従来、餅は、餅米だけをせいろで蒸して、臼と杵で搗いて作っていた。
【発明の開示】
【発明が解決しようとする課題】
【０００３】  そのために、次のような問題点があった。
（イ）高齢者や幼児が食べる場合に、餅をのどに詰まらせて、呼吸できなくなり、本人はもとより、まわりにいる人たちにも、のどに詰った餅を、すばやく取り除くことが分らず、ただただおろおろすることが多かった。
（ロ）あわてふためき、あげくのはてに、口の中に手を突っ込んで、指でのどの餅を掻き取ろうとして取れず、手おくれになることしばしばであった。
本発明は、以上の問題点を解決するためのものである。
【課題を解決するための手段】
【０００４】  餅米８と、うるち米２の割合で混ぜた米を、清水で洗い研ぎ、にごり水の出ないまでに洗い研ぐ。
洗い研がれた米を、一晩水に浸けたあと、せいろで蒸して、臼で搗いて餅にする。
以上のように餅米とうるち米を混合して搗いて粘りを少なくした混合餅である。
【発明の効果】
【０００５】  餅米に、ごはんに炊くうるち米が２割混ぜてあるので、それだけ粘りが少なく、粘りが弱く噛みやすく、飲みこみ安く、きわめて安全に食することができる。
【発明を実施するための最良の形態】
【０００６】  以下、本発明の実施の形態について説明する。
（イ）餅米８００ｇに、２００ｇのうるち米を入れて混合し、清水を入れて洗い研ぐ。
（ロ）にごり水の出なくなるほど洗い研がれた餅米と、うるち米の混合米を一晩水に浸す。
（ハ）一晩水に浸したあとの餅米とうるち米の混合米を、せいろで蒸して、臼の中で杵で搗いて全体を混合餅（１）にする。
（ニ）臼の中で杵で搗かれた混合餅（１）は、まるく平たく伸べられ、まん中に甘い味のあんこ（２）をのせて、回りの混合餅（１）のふちで包んで、あんこ入り混合餅を仕上げる。
（ホ）本混合餅は、なまこ餅や、く形餅にしておけば生乾きのときに、適当な大きさに切ってをけば、雑煮や、ぜんざい、黄なこ餅にできる。
また、焼いて食べれば、色色な味のものをふりかけたり、付けたりして食べることができる。
また、搗くときに砂糖少量を入れても良い。
（ヘ）本混合餅はねばりが少ないため、作り安く食べ安いため、ハイキングや、スポーツの前、工事の現場に、また、楽しい間食に、夜食にととても便利に食することができる。
【図面の簡単な説明】
【０００７】
【図１】  本発明の底面図である。
【図２】  本発明の斜視図である。
【図３】  本発明の断面図である。
【図４】  ブロックフローチャート図である。
【図５】  本発明の実施を示すなまこ餅の説明図である。
【図６】  本発明の実施を示すく形餅の説明図である。
【符号の説明】
【０００８】  １  混合餅
２  あんこ
【図１】
2006333854.tif 000003
【図２】
2006333854.tif 000004
【図３】
2006333854.tif 000005
【図４】
2006333854.tif 000006
【図５】
2006333854.tif 000007
【図６】
2006333854.tif 000008
【図７】
2006333854.tif 000009
【手続補正書】
【提出日】平成17年8月4日(2005.8.4)
【手続補正１】
【補正対象書類名】明細書
【補正対象項目名】０００７
【補正方法】変更
【補正の内容】
【０００７】
【図１】本発明の底面図である。
【図２】本発明の斜視図である。
【図３】本発明の断面図である。
【図４】ブロックフローチャート図である。
【図５】本発明の実施を示すなまこ餅の説明図である。
【図６】本発明の実施を示すく形餅の説明図である。
【図７】本発明の混合餅（１）を丸く平たくのべてその真ん中に、あんこ（２）をのせてあんこ入り餅を作る場合の図である。
(57)【要約】【課題】駐車場内を緑化し目障りな車輪止めを無くす駐車場の車輪止め機能付き植生器を得るにある。【解決手段】車輪止めの後方に植生器を設置し、該植生器の立ち上り面が車輪止めの機能を有するもので、その構成として、路面下部の埋設枠と路面上部の植生器から成り、舗装する前に埋設枠を設置し舗装後に植生器を埋設枠と結合固定するものとした駐車場の車輪止め機能付き植生器を構成している。【選択図】  図３
2006333856.tif 000002
【特許請求の範囲】
【請求項１】
駐車場に緑化スペースを設けるために車輪止めの後方に植生器を設置し、該植生器の立ち上り面が車輪止めの機能を有するもので、その構成として、路面下部の埋設枠と路面上部の植生器から成り、舗装する前に埋設枠を設置し、該埋設枠内は舗装せず舗装工事後植生器を埋設枠と結合固定し、該埋設枠と植生器内に土壌を入れて植生するものとした駐車場の車輪止め機能付き植生器。
【発明の詳細な説明】
【技術分野】
【０００１】本発明は駐車場の車輪止め機能付き植生器に関する。
【背景技術】
【０００２】意匠登録第１０６９２０６号意匠に係る物品：自動車用車輪止め
現在駐車場に設置されている車輪止めの多くはこのように路面上に左右に並べた突起型が用いられている。【０００３】特許公開平８−８６発明の名称：舗装面への植生工法と緑化部を備えた舗装面構造と緑化標識部を有する駐車場
この発明は駐車場内を緑化するために白線のライン部を植生するものだが、難点として舗装面の強度が低下することであり、又、軽自動車のようにタイヤ幅の小さい場合溝内にはまってしまう恐れがある。【０００４】駐車場内を緑化しようとしてコンクリート縁石等で囲んで駐車場外周部を植生しているものは見受けられ、又、その縁石で車輪止めとしているものを多く見受けられる。よって、従来の駐車場の緑化スペースは駐車場の外周部に制約されやすいのが実状であり、中には緑化スペースを無くし全面を舗装したものも多く無味乾燥とした外観となっている。又、車輪止めに関しては舗装面上に突起部を設置したものが多く外観上繁雑な光景となっているのが実状でありスッキリとしたスマートな車輪止めが要望される。
【発明の開示】
【発明が解決しようとする課題】
【０００５】本発明は以上のような従来の欠点に鑑み、駐車場の機能を低下せず緑化スペースを設け、又、車輪止めの突起は目障りとなっているので目立なくして整然とした駐車場を提供することを目的としている。【０００６】本発明の前記ならびにその他の目的と新規な特徴は次の説明を添付図面と照らし合わせて読むと、より完全に明らかになるであろう。ただし、図面はもっぱら解説のためのものであって、本発明の記述的範囲を限定するものではない。
【課題を解決するための手段】
【０００７】上記目的を達成するために本発明は、駐車場に緑化スペースを設けるために車輪止めの後方に植生器を設置し、該植生器の立ち上り面が車輪止めの機能を有するもので、その構成として、路面下部の埋設枠と路面上部の植生器から成り、舗装する前に埋設枠を設置し、該埋設枠内は舗装せず舗装工事後植生器を埋設枠と結合固定し、該埋設枠と植生器内に土壌を入れて植生するものとした駐車場の車輪止め機能付き植生器を構成している。
【発明の効果】
【０００８】以上の説明から明らかなように、本発明にあっては次に列挙する効果が得られる。
（１）駐車場内の車輪止め後方面に植生器を設置することで駐車機能は低下することなく緑化スペースを増すことができる。【０００９】（２）植生器の立ち上り面を車輪止めと兼用することで目障りだった車輪止めが不要となるので整然とした駐車場となる。【００１０】（３）植生器と埋設枠に分割し強度を要する埋設枠のみを設置して舗装工事をすることで施工が確実にできるので舗装強度は低下しない。
【発明を実施するための最良の形態】
【００１１】以下、図面に示す発明を実施するための最良の形態により本発明を詳細に説明する。１は駐車場の車輪止め機能付き植生器である。２は植生器で材質としては合成樹脂材や鋼製等があり、その形状には方形や台形や三角形がある。３は埋設枠で材質としてはコンクリート製や合成樹脂材や鋼製等があり、土圧に対して湾曲しないように補強板９を内側に入れてもよい。４は車輪止め面で傾斜を付け強度を増すためにコンクリートを詰めるとよい。５は植生保護板で格子状等の隙間を有するものとし靴による踏みつけから植生を守る。【００１２】植生器は車底に接触しない高さとし約１５ｃｍ程度とし一般的な車輪止めの高さとする。植生器内の植物は背丈の低いものとし芝生等が好ましい。既設の駐車場に設置する場合は舗装面をカッターで切断し除去し埋設枠を設置しその外周をコンクリートで固定することで車輪止め機能付き植生器を設置することができる。植生器は埋設枠より多少大きくし植生器の底面が埋設枠を被うものとするのが強度や意匠の面がらも好ましい。
【産業上の利用可能性】
【００１３】  本発明は駐車場の車輪止め機能付き植生器を製造する産業で利用される。
【図面の簡単な説明】
【００１４】
【図１】本発明を実施するための最良の第１の形態の方形タイプの駐車場の車輪止め機能付き植生器の平面図。
【図２】本発明を実施するための最良の第１の形態の変形タイプの駐車場の車輪止め機能付き植生器の平面図。
【図３】本発明を実施するための最良の第１の形態の駐車場の車輪止め機能付き植生器の断面図。
【符号の説明】
【００１５】１：駐車場の車輪止め機能付き植生器、  ２：植生器、  ３：埋設枠、  ４：車輪止め面、  ５：植生保護板、  ６：土壌、  ７：自動車の車輪、  ８：コンクリート、  ９：補強板。
【図１】
2006333856.tif 000003
【図２】
2006333856.tif 000004
【図３】
2006333856.tif 000005
(57)【要約】【課題】従来のようにリードのみで使用する場合、リードがたるみ、地面に擦れたり、ペットやリードを持つ人の足元に絡まる問題があった。特に自転車での散歩は困難であった。【解決手段】胴輪とリードの結合部を弾力のある素材で広く覆う事により、リードの高さを保ったまま、持つ人とペットの位置も自在でいられることができる。そして接合部に窓を配置する事で装着を容易にし、両翼のスナップボタンを留める事により、ペットの動きで胴輪とずれてしまう事を防止する特徴を持った胴輪カバー。【選択図】図１
2006333855.tif 000002
【特許請求の範囲】
【請求項１】
ペット散歩用の胴輪からリードを、部分的に柔らかく弾力のある素材で多い、結合部からリードを覆う部分に高さを持たせる事により、リードの高さを保ち、引きずったり足元に絡むこと無く、かつリードのフック部分に当たる所に窓を有する事で、着脱を容易にし、装着時にずれる事が無い様、両翼にスナップを配する事を特徴とした胴輪カバー。
【発明の詳細な説明】
【技術分野】
【０００１】  本発明は犬の散歩の際リードが足元に絡まない様にする為の胴輪カバーに関する。
【背景技術】
【０００２】  従来の散歩用リードでは胴輪との接続部から垂れ下がる為、犬や連れている人間の足に絡む不便さがある。【０００３】  従来の散歩リードが絡まない様にする発明には筒のような物を施した物がある（例えば、特許文献１参照。）。
また、高さを保ちリードが下に垂れないようにする物もある（例えば、実用新案文献１参照。）。
【特許文献１】特開２００４−１８０６６５号公報
【実用新案文献１】
登録実用新案第３０２０５７５号広報
【発明の開示】
【発明が解決しようとする課題】
【０００４】  以上に述べた従来の散歩用リードでは足元にリードが絡む事を防ぐのは難しい。【０００５】  上述の特許文献１のような硬い筒状の物では自在性が無く、実用新案文献１では接合部の詳細がわかりづらい上、犬の上部に固定できるかも不明である。【０００６】  本発明は従来の首輪や胴輪での、リードを引きずる、地面に擦る、足に絡まる等の難点を解消し、飼い主とペットの歩行を妨げ無い、安全でスムーズな散歩を実現する事を目的とするものである。
【問題を解決するための手段】
【０００７】  以上の課題を解決する為に、本発明は飼い主から犬が自在に動く事ができ、尚且つリードの高さを維持できるよう弾力のある素材を使う。
【０００８】  上方の筒部の長さを取ることにより、リードのペット側を高い位置に保つ事を可能にする。
【０００９】  着脱を容易にする為、胴輪カバー胴体部分の上部に、面ファスナーでとめる事ができる、開閉する窓を配置し、そこから胴輪にリードのフックを掛ける事を可能にした。
【００１０】  胴輪本体としっかり固定できる様、胴体部の両翼にスナップボタンを配置する。
【発明の効果】
【００１１】  上述したように本発明の胴輪カバーは、ペットの動きによってずれる事無く、リードを犬の背中からの高さを保つ事により足元に絡まなくする事ができる。
【００１２】  また、柔らかい素材を使用する事により、犬に触れる部分がソフトで苦痛を強いる事も無く、接合部も方向性が自在で飼い主と犬が前後左右どこでも無理無く位置する事が可能である。
【００１３】  シンプルな構造で着脱が容易にできる。
【発明を実施するための最良の形態】
【００１４】  以下、本発明の実施の形態を図１〜図４に基づいて説明する。【００１５】  図においては、１は胴輪部を覆うカバーで、上側中心部にリードを覆う筒状部２を伸ばす。１、２、３の本体部は弾力のある素材からなりリードが前後左右自在に動いてもリードの高さを保持したままスムーズに方向を移す事を可能にし、なおかつ胴輪着脱時３の窓部を簡単に開閉させる事ができる。そして５のスナップボタンを留めるだけで、胴輪とずれずる事無く、ペットの体に沿った形にすることができる。【００１６】  ３は開閉させる事ができ、かぶせて４の面ファスナーで留めることができる。３を開閉できるようにした事により、ペットの背面から、胴輪とリードを繋ぐフックを容易にかける事を可能にした。【００１７】  ５はスナップボタンになっており、胴輪の着脱の際ははずし、胴輪を通した後に留める事により胴輪と固定する。手持ちの胴輪が合わずに使えないと言う事を防ぐ為、前後に２つのボタンを用意し、どちらかもしくは両方を留め使用する。一度装着した後の着脱の際は一方をはずすだけで残った反対側はスナップボタンを留めたまま、胴輪、リードと着けて保管する事もできる。
【図面の簡単な説明】
【００１８】
【図１】本発明の実施形態を示す、装着時の胴輪カバーの斜視図である。
【図２】同胴輪カバーを上から見た斜視図である。
【図３】３と５を開いた状態の斜視図である。
【図４】同胴輪カバーを裏から見た斜視透視図である。
【符号の説明】
【００１９】１  本体、胴輪カバー部
２  リードをカバーする筒部
３  開閉部
４  面ファスナー
５  胴輪を固定する為のスナップ
【図１】
2006333855.tif 000003
【図２】
2006333855.tif 000004
【図３】
2006333855.tif 000005
【図４】
2006333855.tif 000006
(57)【要約】【課題】  従来の超音波センサでは、超音波放射面が平らに計測されているため、超音波放射面に気泡や汚れが付き易く、感度が低下し、計測不可能になるという問題がある。【解決手段】  １はケース、２は圧電セラミックス、４はケーブル、５はケーブル４からひきだされるコード、６はコネクタで、これらの構成は上記従来例と同じであるので、説明は省略するが、本実施例では、圧電セラミックス２が装着されるケース１の対向する外面に中心１ｃが突出し、中心１ｃの周囲に傾斜面１ｄを設けた円錐形状の超音波放射面を形成したものである。【選択図】図１
2006333086.tif 000002
【特許請求の範囲】
【請求項１】
ケース内の底部に装着される圧電セラミックスと、該圧電セラミックスに接続されるコードを前記ケースの引き出し部から引き出すケーブルとからなり、前記ケースの前記圧電セラミックスと対向する外面に中心が突出し、該中心の周囲に傾斜面を設けた円錐状の超音波放射面を形成することを特徴とする超音波センサ。
【請求項２】
前記超音波放射面は中心部分に曲面を設け、周囲に傾斜面を形成することを特徴とする請求項１記載の超音波センサ。
【発明の詳細な説明】
【技術分野】
【０００１】
本発明は、中心部分が突出し、周囲に傾斜面を設けた超音波センサに関するものである。
【背景技術】
【０００２】
従来、水位変動のあるタンクにおける界面位置を連続的に計測するようにした超音波センサにおいて、
図３に示すように、ケース１内の底部に圧電セラミックス２が装着され、この圧電セラミックス２の周囲に樹脂３が充填され、圧電セラミックス２に接続されるコード４を引き出すケーブル５がケース１の引き出し部１ａに装着したコネクタ６で固定された超音波センサが提案されている。
【０００３】
しかしながら、このように構成した従来の超音波センサでは、圧電セラミックス２が装着されたケース１の外面の超音波放射面１ｂが平らに形成されているため、超音波放射面１ｂに気泡や汚れが付き易く、感度が低下し、気泡や汚れの付着度合いが大きくなると、計測不可能な状態になるという問題があった。
【特許文献１】特開平１０−１２２９３６号公報
【発明の開示】
【発明が解決しようとする課題】
【０００４】
解決しようとする問題点は、従来の超音波センサでは、超音波放射面が平らに形成されているため、超音波放射面に気泡や汚れが付き易く、感度が低下し、計測不可能になるという問題がある。
【課題を解決するための手段】
【０００５】
本発明では、圧電セラミックスはケース内の底部に装着され、ケーブルは圧電セラミックスにコードが接続されてケースの引き出し部から引き出され、ケースの圧電セラミックスと対向する外面に中心が突出し、中心の周囲に傾斜面を設けた円錐状の超音波放射面を形成するものである。
【発明の効果】
【０００６】
本発明の超音波センサでは、ケースの圧電セラミックスと対向する外面に円錐状の超音波放射面を形成したので、気泡や汚れは円錐状の傾斜面に沿って移動し、超音波放射面に気泡や汚れが付き難くなるので、感度が低下することがなく、又、指向特性が悪くならないという利点がある。
【発明を実施するための最良の形態】
【０００７】
本発明では、指向特性が悪くなり、感度が悪くなるという欠点をケースの超音波放射面に中心が突出し、周囲に傾斜面を設けた円錐状の超音波放射面を形成することにより解消した。
【実施例】
【０００８】
図１は本発明の実施例の超音波センサの側面図、図２は図１の超音波センサの断面図で、１はケース、２は圧電セラミックス、４はケーブル、５はケーブル４からひきだされるコード、６はコネクタで、これらの構成は上記従来例と同じであるので、説明は省略するが、本実施例では、圧電セラミックス２が装着されるケース１の対向する外面に中心１ｃが突出し、中心１ｃの周囲に傾斜面１ｄを設けた円錐形状の超音波放射面を形成したものである。
【０００９】
このように構成された本実施例の超音波センサでは、ケース１の超音波放射面に中心１ｃが突出し、その周囲に傾斜面１ｄを形成することにより、液体中の気泡や汚れは超音波放射面の傾斜面１ｄで上方に浮遊するようになり、気泡や汚れが超音波放射面に付着することを防ぐことができる。
【産業上の利用可能性】
【００１０】
なお、上記実施例において、ケース１の超音波放射面を中心が突出し、周囲に傾斜面を形成した円錐形状に構成したが、中心に曲面を形成し、周囲に傾斜面を形成した超音波放射面でも同様の効果を得ることができる。
【図面の簡単な説明】
【００１１】
【図１】本発明の実施例の超音波センサの側面図である。
【図２】図１の実施例の超音波センサの断面図である。
【図３】従来の超音波センサの側面断面図である。
【符号の説明】
【００１２】
１                ケース
２                圧電セラミックス
４                ケーブル
５                コード
６                コネクタ
【図１】
2006333086.tif 000003
【図２】
2006333086.tif 000004
【図３】
2006333086.tif 000005